(57)【要約】本発明は、複数のサブフィールドによって複数のグレーレベルを達成するためにサブフィールドが重み付けされ、対にされるサブフィールド駆動表示装置及び関連する方法であり、前記サブフィールドがターナリ分布のサブフィールド重みとして重み付けされるサブフィールド駆動表示装置及び関連する方法を提供する。
2004513391.tif 000002
【特許請求の範囲】
【請求項１】
複数のサブフィールドによって複数のグレーレベルを達成するためにサブフィールドが重み付けされ、対にされるサブフィールドデータにビデオ信号を変換するサブフィールド変換器を持つサブフィールド駆動表示装置であって、前記サブフィールド変換器が、ターナリ分布のサブフィールド重みとして前記サブフィールドに重み付けをするよう構成されることを特徴とするサブフィールド駆動表示装置。
【請求項２】
前記サブフィールド変換器が対称対のターナリ重みを用いるよう構成される請求項１に記載の表示装置。
【請求項３】
前記サブフィールド変換器が中央の値に向けて重み付け値を増大させるように前記ターナリ重みを分布させるよう構成される請求項１又は２に記載の表示装置。
【請求項４】
前記サブフィールド変換器が前記ターナリ分布の前記中央において最も大きいサブフィールド重みを供給するよう構成される請求項１、２又は３に記載の表示装置。
【請求項５】
動きアーチファクトの低減を強めるのに役立つ動き評価を用いる動き補償手段を含む請求項１乃至４のいずれか一項に記載の表示装置。
【請求項６】
前記サブフィールド変換器が所定の表示単位において光出力制御パターンを交互させるよう構成される請求項１乃至５のいずれか一項に記載の表示装置。
【請求項７】
前記パターンがチェッカー盤パターンを有する請求項６に記載の表示装置。
【請求項８】
複数の重み付けされ、対にされたサブフィールドによって表示装置を駆動する方法であって、ターナリ分布の重みに従って前記サブフィールドに重み付けをするステップを特徴とする方法。
【請求項９】
対称対のターナリ重みを用いる請求項８に記載の方法。
【請求項１０】
前記ターナリ重みが中央の値に向けて重み付け値を増大させるように分布される請求項８又は９に記載の方法。
【請求項１１】
最も大きいサブフィールド重みが前記ターナリ分布の中央において見出される請求項８、９又は１０に記載の方法。
【請求項１２】
対のサブフィールドアドレス指定のステップを含む請求項５乃至１１のいずれか一項に記載の方法。
【請求項１３】
動きアーチファクトの低減を強めるのに役立つ動き評価を用いる動き補償を含む請求項１２に記載の方法。
【請求項１４】
所定の表示単位において光出力制御パターンを交互させるステップを含む請求項１２又は１３に記載の方法。
【請求項１５】
前記パターンがチェッカー盤パターンを有する請求項１４に記載の方法。
【発明の詳細な説明】
【０００１】
【発明の属する技術分野】
本発明は、複数のサブフィールドによって複数のグレーレベル（ｇｒｅｙ ｌｅｖｅｌ）を供給するためにサブフィールドが重み付けされ、対にされる（ｄｕｐｌｉｃａｔｅｄ）サブフィールド駆動表示装置（ｓｕｂ−ｆｉｅｌｄ ｄｒｉｖｅｎ ｄｉｓｐｌａｙ ｄｅｖｉｃｅ）及び方法に関する。
【０００２】
【従来の技術】
このようなサブフィールド駆動表示装置及び方法は、カラービデオ信号が赤色、緑色及び青色の発光セル、例えばプラズマディスプレイ装置のセルに供給されるカラー画像表示装置を開示している欧州特許出願公開公報第ＥＰ−Ａ−０８９６３１７号から既知である。この装置は、赤色、緑色及び青色の発光セルの各々の発光輝度レベル（ｌｉｇｈｔ−ｅｍｉｔｔｉｎｇ ｌｕｍｉｎｏｕｓ ｌｅｖｅｌ）を制御することにより必要とされるグレースケール表現（ｇｒｅｙ ｓｃａｌｅ ｒｅｐｒｅｓｅｎｔａｔｉｏｎ）を表示する既知のサブフィールド法を用いる。既知のサブフィールド法においては、１つの表示フィールドが時間ベースで複数のサブフィールドに分割され、発光重みが各々のサブフィールドに割り当てられ、次いで、関連するサブフィールドの各々における発光が適当なグレーレベルのグラデーション（ｇｒａｄａｔｉｏｎ）を供給するようオン／オフいずれかのように制御される。必要とされるグラデーションは、通例、サブフィールドに対するバイナリ比率重み付け（ｂｉｎａｒｙ ｒａｔｉｏ ｗｅｉｇｈｔｉｎｇ）を用いることによって供給される。
【０００３】
【課題を解決するための手段】
このような既知の表示装置及び方法では性能が不利に制限され得る。本発明は、改善された性能を示すサブフィールド駆動表示装置及び方法を提供せんとするものである。とりわけ、本発明は、従来技術において見出されるような、特定の制限及び関連する問題を認識することによって改善された性能を提供せんとするものであり、前記特定の制限及び関連する問題は、本発明に従って認識され、とりわけ用いられるサブフィールドの数に鑑みて生じ、前記サブフィールドの数は、利用可能なグレーレベルの数の制限及び動きアーチファクト（ｍｏｔｉｏｎ ａｒｔｅｆａｃｔ）のために既知の装置及び方法の性能を不利に制限するように働くものである。
【０００４】
本発明は、更に、対のサブフィールドアドレス指定（ｄｕｐｌｉｃａｔｅｄ ｓｕｂ−ｆｉｅｌｄ ａｄｄｒｅｓｓｉｎｇ）の採用（ａｄｏｐｔｉｏｎ）を容易に可能にする改善されたサブフィールド駆動表示装置及び方法を提供せんとするものである。
【０００５】
本発明の１つの特徴によれば、サブフィールドがターナリ分布（ｔｅｒｎａｒｙ ｄｉｓｔｒｉｂｕｔｉｏｎ）のサブフィールド重みに従って重み付けされることを特徴とする上記のタイプのサブフィールド駆動表示装置が提供される。
【０００６】
本願明細書内に更に示されているように、ターナリ分布の重みの採用は、既知の重み付け分布と比較される場合に、所与の数のサブフィールドに対して、本発明が、有利にグレーレベルの数の増大を可能にし、それによりサブフィールド駆動表示装置の性能を有利に向上させるよう採用されるサブフィールドに対するグレーレベルの割合を有利に最適化する。即ち、本発明は、それ故、最少のサブフィールドで、全ての中間グレーレベル値を生成する可能性も依然として保持しながらグレーレベルの最も大きい最大値（ｈｉｇｈｅｓｔ ｍａｘｉｍｕｍ ｖａｌｕｅ）を達成することが出来るという利点を持つ。
【０００７】
請求項２に記載の特徴は、対のサブフィールドアドレス指定法の適用を容易に可能にするのにとりわけ有利であり、前記適用は、その結果として、このような装置において見た目に明らかであり得る動きアーチファクトの問題を有利に低減させる。
【０００８】
請求項３の特徴はこのような利点を更に高めており、請求項４に記載の特徴は、最も重い重み付け値がサブフィールド重み付け分布の中央内に見出され、この中央サブフィールド位置が動き補償のための基準時間値として有利に働き得るという利点を持つ。
【０００９】
請求項５乃至８に記載の特徴は、本発明のための対応する方法ステップに関し、上記の利点と同様の利点を呈する。
【００１０】
請求項９に記載の特徴は、とりわけ、本発明において生じるサブフィールド分布に従って容易に達成され得る対のサブフィールドアドレス指定法の採用をもたらす。このようなアドレス指定法は、動き評価器を使用しなくとも、たとえ当該方法が必要に応じて動き評価に基づく動き補償と組み合わされ得るとしても、動きアーチファクトの低減を可能にする。
【００１１】
ほんの一例として添付図面を参照して以下に本発明をさらに説明する。
【００１２】
【発明の実施の形態】
本発明は、欧州特許出願公開公報第ＥＰ−Ａ−０８９９７１０号、第ＥＰ−Ａ−０６９８８７４号及び第ＥＰ−Ａ−０８９６３１７号に開示されているような対にされたサブフィールドに重み付けをし、分布させる（ｄｉｓｔｒｉｂｕｔｅ）技術を容易に用いることが出来ることを認識されたい。
【００１３】
認識されるように、本発明は、以下に示されるような、表示装置における性能の改善を導く特定の利点が達成され得るサブフィールド駆動表示装置及び関連する方法のためのターナリ重み付け分布の採用に関する。
【００１４】
例えば、ターナリ分布１、３、９、２７、９、３、１は、ターナリ分布が対称分布であるだけでなく、分布の中心において最大値を呈することから、本発明に従うとりわけ有利な重み付けを表わす。
【００１５】
認識されるように、各々が上記の重み付けのうちの関連するものを用いる７つのサブフィールドの効果的な使用によって、０とあり得る最大グレーレベル、この例においては５３との間のグレーレベルの全ての整数値が実現され得る。例えば、従来技術において知られているようなバイナリ分布と比較すると、より多くのサブフィールドが同様の数のグレーレベル値を得るために必要とされるであろう。このことは、とりわけ対称数列（ｓｙｍｍｅｔｒｉｃａｌ ｓｅｒｉｅｓ）に対して当てはまる。
【００１６】
ターナリ分布は、必要に応じて、動き評価に基づく動き補償と組み合わされ得る既知の対のサブフィールドアドレス指定法の適用によってとりわけ効果的な動きアーチファクト（ｍｏｔｉｏｎ ａｒｔｉｆａｃｔ）低減を容易に可能にする関連利点を持つ。
【００１７】
上記の例に記載されているように、サブフィールド重み付け分布の中心に最も重い重み付け値を供給することはとりわけ有利である。なぜなら、その場合、このサブフィールド位置は、容易に、動き補償のための基準時間ｔ ＝ ０として働き得るからである。このことは、光の最大量が、サブフィールド分布の中央内で生成され、いかなるあり得る打切り誤差によってももたらされないであろうことから、好まれ得る。より小さい重み、即ち中央の最も重い重みの両側のサブフィールドの重み付け値は、その場合、前記中央の重みの両側で有効に対にされ、添付図面に図示されているような２つの駆動ピクセルの例に従ってオンにされる。
【００１８】
ここで図１を参照すると、本発明による表示装置１０の一実施例がブロック図形式で図示されている。装置１０は、入ってくるアナログの赤色、緑色及び青色のビデオ信号の各々のためのアナログ／デジタル変換器１２、１４及び１６を含み、そして前記変換器はサブフィールド変換器１８にデジタルビデオ信号を供給する。サブフィールド変換器１８から出力される信号は、フレームメモリを含むサブフィールドシーケンス変換器２０により受け取られ、サブフィールドシーケンス変換器２０は、次に、表示ドライバ２２にサブフィールド分割信号を供給する。このドライバ２２はプラズマディスプレイパネル２４などのディスプレイに駆動信号を供給するよう構成される。
【００１９】
ここで図２に示されている図面を参照すると、あり得る１８個のグレーレベルの各々が左側の列で識別されるのに対し、ピクセル１及び２の各々の５つのサブフィールドの各々に対するターナリ重み付けが表の最上部の行に示されており、本発明のこの実施例の範囲内での説明の目的のためにターナリ分布１、３、９、３、１が用いられていることを確認する。表中のばつ印の分布は、左側の列において示されている特定のグレースケールレベル（ｐａｒｔｉｃｕｌａｒ ｇｒｅｙ ｓｃａｌｅ ｌｅｖｅｌ）を供給するために、重み付けされたサブフィールドのうちのどれが駆動されるのかを示している。
【００２０】
更に詳細には、 （２ｎ＋１）個の値ａｉの分布、即ちａ０、ａ１、ａ２、ａ３、… …、ａｎ−１、ａｎ、ａｎ−１、… …、ａ３、ａ２、ａ１、ａ０且つａ０ ＝ １に対する考察がなされ得る。グレーレベルの数であるＧ２ｎ＋１は、
【数１】
2004513391.tif 000003
に等しい（注：グレー値（ｇｒｅｙ ｖａｌｕｅ）０も考慮に入れる）。分布サブフィールド法（ｄｉｓｔｒｉｂｕｔｅｄ ｓｕｂ−ｆｉｅｌｄ ｍｅｔｈｏｄ）を適用するために対称分布が構成される。値ａｎは０からＧ２ｎ＋１までの全ての値を実現することが出来るような整数値である。
【００２１】
好ましくは、最も重い重みは分布の中央にある一方で、より小さな値は中央からより遠く離れた所に置かれ、それ故、ａ０ ＝ １である。ｎ ＝ ４の分布は以下のように有利に構成される。
【００２２】
【表１】
2004513391.tif 000004
【００２３】
このようにしてＧ９ ＝ １６２個のグレーレベルを与える０と最大グレーレベルの１６１との間の全ての整数値が生成され得る。
一般に、ａｎ ＝ ３ｎ、　ｎ ＝ ０、１、２、３……、であり、
２ｎ＋１個のサブフィールドを与える場合、
Ｇ２ｎ＋１ ＝ ２・３ｎ個となる。
これはターナリ数列（ｔｅｒｎａｒｙ ｓｅｒｉｅｓ）を与える。
【００２４】
中央に最も大きい重みを持つ（２ｎ＋１）個のサブフィールドの対称バイナリ数列の場合、グレーレベルの数は、（２／３）ｎ倍であるＧ２ｎ＋１ ＝ ２・２ｎ個に等しい。（２ｎ＋１） ＝ ９個のサブフィールド（従ってｎ ＝ ４）においては、これは５．０６２５（５）倍異なる。このことは、所与の数のサブフィールドに対して本発明の装置及び方法がいかに最適数のグレースケール値（ｇｒｅｙ ｓｃａｌｅ ｖａｌｕｅ）を供給し得るのかを明らかに示している。
【００２５】
偶数個のサブフィールドにおいては、一般的に１つの付加的な項が決定されるべきである。分布を完全に対称的に保つため、最も重い重みが以下のように中央においてコピーされ得る又は繰り返され得る。即ち、
ａ０、ａ１、ａ２、ａ３、… …、ａｎ−１、ａｎ、ａｎ、ａｎ−１、… …、ａ３、ａ２、ａ１、ａ０且つａ０ ＝ １であり、
ｎ ＝ ３の例では、１、３、９、２７、２７、９、３、１、　Ｇ８ ＝ ８１個となる。
【００２６】
他の例においては、項ａ０が対にされない数列が展開され得る。上記と同じ値を用いると、これは、同数の８個のサブフィールドの場合は１０８個のグレーレベルを与える１、２、６、１８、５４、１８、６、２を得る。
【００２７】
認識されるように、本発明によりグレーレベルのあり得る最大数が有利に達成される一方、必要に応じて、全てのあり得る重みのうちの最も大きい重みに対して、対称値もまた採用され得る。動き補償を達成するように対のサブフィールド法（ｄｕｐｌｉｃａｔｅ ｓｕｂ−ｆｉｅｌｄ ｍｅｔｈｏｄ）も適用する場合、対のサブフィールド法においてＡピクセル及びＢピクセルとして識別されるピクセルは対称的な選択項目（ｓｙｍｍｅｔｒｉｃａｌ ｏｐｔｉｏｎ）のうちの１つによって有利にアドレス指定され得る。
【００２８】
勿論、本発明はサブフィールド分布を用いる、プラズマディスプレイパネル、デジタル・ミラー・デバイス及びダイナミック・ホイル・ディスプレイ（Ｄｙｎａｍｉｃ Ｆｏｉｌ Ｄｉｓｐｌａｙｓ）を含むがこれらに限定されない全てのディスプレイにおいて用いられ得ることを認識されたい。
【００２９】
また、例えば、非対称分布であっても、最も大きい重み付け値が中央に置かれない場合であっても、依然として本発明により呈される利点に得るように有利に用いられ得ることから、本発明は上記の実施例の詳細に限定されない。
【図面の簡単な説明】
【図１】本発明を実施する表示装置のブロック図を表わす。
【図２】本発明の実施例に従う２つのピクセルに対するグレーレベル生成の表形式表現である。
【国際公開パンフレット】
2004513391.tif 000005
2004513391.tif 000006
2004513391.tif 000007
2004513391.tif 000008
2004513391.tif 000009
2004513391.tif 000010
2004513391.tif 000011
2004513391.tif 000012
2004513391.tif 000013
2004513391.tif 000014
2004513391.tif 000015
2004513391.tif 000016
【国際公開パンフレット（コレクトバージョン）】
2004513391.tif 000017
【国際調査報告】
2004513391.tif 000018
2004513391.tif 000019